(57)【要約】      （修正有）【課題】光硬化機能を有するモバイル電源を提供する。【解決手段】光硬化装置１０、制御装置２０及び充電電池を含む。光硬化装置１０は、基材及び発光ダイオードを含み、基材は、電池スロットを形成し、且つ第一貫通孔及び通孔を開設する。発光ダイオードは、基材に設けられ、且つ光線を発射し、光線は、通孔を通過して基材外へ照射される。制御装置２０は、充電挿入溝を含み、且つ第２貫通孔を開設する。充電電池は、電池スロットに設けられ、且つ一端は、第１、第２貫通孔に設けられ、充電挿入溝に電気接続される。光硬化装置１０は、充電電池により制御装置２０に相対して回転する。これにより、充電電池は、回転軸として光硬化装置１０及び制御装置２０を一体に結合し、電子装置５０に対して充電をさせ、且つ光硬化装置１０を上に起こし、指の爪上の接着剤を硬化させ、装飾品を手指の爪又は足の爪に固定させることができ、機能が相当多元である。【選択図】図３
0003197199.tif 000002
【実用新案登録請求の範囲】
【請求項１】
基材及び発光ダイオードを含み、該基材は、電池スロットを形成し、且つ第１貫通孔及び通孔を開設し、該発光ダイオードは、該基材に設けられ且つ光線を発射し、該光線は、該通孔を通過して該基材の外へ照射される該光硬化装置と、
充電挿入溝を含み、且つ第２貫通孔を開設する制御装置と、
該電池スロットに設けられ、且つ一端は、該光硬化装置の第１貫通孔及び該制御装置の第２貫通孔を貫通し、該充電挿入溝に電気接続し、該光硬化装置は、該充電電池により該制御装置に相対して回転する充電電池と、
を含む光硬化機能を有するモバイル電源。
【請求項２】
前記光硬化装置の基材は、底ソケット及び蓋体を含み、該底ソケットは、側部及び電池位置決め構造を含み、該底ソケットの側部は、下貫通孔を開設し、該電池位置決め構造が該下貫通孔に対応して、該蓋体は、側部を含み、該蓋体の側部は、上貫通孔を開設し、該蓋体は、該底ソケットに設けられ且つその部分及び該底ソケットの電池位置決め構造は、該電池スロットを形成し、該上下貫通孔は、合わせて該第１貫通孔を形成される請求項１に記載の光硬化機能を有するモバイル電源。
【請求項３】
前記電池位置決め構造は、複数のリブを含み、各リブは、凹口を形成し、各凹口は、該充電電池の形状に対応する請求項２に記載の光硬化機能を有するモバイル電源。
【請求項４】
前記充電電池の形状は、円柱形であり、各凹口の形状は、半円形である請求項３に記載の光硬化機能を有するモバイル電源。
【請求項５】
前記光硬化装置の基材は、発光ダイオード回路板を含み、該底ソケットは、底部を含み、該底ソケットの底部は、該通孔を開設し、該蓋体は、該底ソケットに被せ設けられ且つ該底ソケットと共同で収容空間を囲い、該発光ダイオード回路板は、該収容空間中に設けられ、発光ダイオードは、該発光ダイオード回路板に設けられる請求項１に記載の光硬化機能を有するモバイル電源。
【請求項６】
前記発光ダイオードは、パッケージ体及び２つのチップを含み、該２つのチップは、該パッケージ体中に設けられ、且つ該２つのチップの波長が互いに異なり、直列方式で接続される請求項１に記載の光硬化機能を有するモバイル電源。
【請求項７】
前記２つにチップの波長は、それぞれ３６５ｎｍ及び４００ｎｍの組み合わせ、３８０ｎｍ及び４００ｎｍの組み合わせ、又は６６０ｎｍ及び４００ｎｍの組み合わせである請求項６に記載の光硬化機能を有するモバイル電源。
【請求項８】
前記制御装置は、殻体を含み、該殻体は、下ソケット及び上蓋を含み、該下ソケットの該光硬化装置付近の一側に下貫通孔を開設し、該上蓋の該光硬化装置付近の一側に上貫通孔を開設し、該上蓋は、該下ソケットに被せ設けられ、該上下貫通孔は、合わせて該第２貫通孔を形成する請求項１に記載の光硬化機能を有するモバイル電源。
【請求項９】
前記制御装置は、制御回路板及びボタンを含み、該上蓋及び該下ソケットは、収容室を囲い、該制御回路板は、該収容室に設けられ、且つスイッチを設け、該スイッチは、該発光ダイオード回路板上の発光ダイオードに電気接続され、該ボタンは、該上蓋に設けられ且つ該スイッチが該発光ダイオードをオンにすることを制御することに用いられる請求項８に記載の光硬化機能を有するモバイル電源。
【請求項１０】
前記光硬化機能を有するモバイル電源は、更に、外付け電源を含み、該殻体の該光硬化装置から離れる一側に電源孔を開設し、該制御装置は、電源挿入溝を含み、該電源挿入溝は、該制御回路板に設けられ且つ該電源孔に対応し、該外付け電源は、該電源挿入溝に電気接続される請求項９に記載の光硬化機能を有するモバイル電源。
【請求項１１】
前記スイッチが該発光ダイオードをオンにする時、該外付け電源は、該発光ダイオードに電源供給し、該スイッチが該発光ダイオードをオフにする時、該外付け電源は、該充電電池に対して充電を行う請求項１０に記載の光硬化機能を有するモバイル電源。
【請求項１２】
前記殻体の該光硬化装置から離れる一側に充電孔を開設し、該充電挿入溝は、該制御回路板に設けられ且つ該充電孔に対応する請求項９に記載の光硬化機能を有するモバイル電源。
【考案の詳細な説明】
【技術分野】
【０００１】
本考案は、モバイル電源に関し、特に、電子装置を充電させ、ネイルアートを手指の爪又は足の爪に硬化させる光硬化機能を有するモバイル電源に関する。
【背景技術】
【０００２】
スマートフォン及びタブレットＰＣ等の携帯外出することが容易なモバイル装置が相當普及している。モバイル装置の電力消費量は大きく、使用者は、モバイル電源を携帯し、随時モバイル装置に充電するよう備えている。但し、従来のモバイル電源は、充電する機能のみを有している。
【０００３】
また、ネイルアートは、既に流行ファッションとなっている。ネイルアートの製造方式は、各種装飾品を接着剤で手指の爪又は足の爪に接着し、その後、光硬化装置の発光ダイオードが発光する光線を手指の爪又は足の爪に照射し、接着剤を硬化させる。
【０００４】
しかしながら、従来の光硬化装置は、機能がシンプルであり、通常手指の爪又は足の爪上の接着剤を硬化させることに用いない時は、従来の光硬化装置は、傍らに置かれているだけであり、利用価値がなく且つ空間を占有する。
【０００５】
また、従来の光硬化装置が使用する発光ダイオード(light-emitting diode，LED)のパッケージ体は、ただ１つのチップのみをパッケージングし、光混合の目的を達成する場合、２つ以上の異なる波長のチップをパッケージした発光ダイオードを共に発光して初めて光混合の効果を達成することができる。従来の光硬化装置の問題は、多くの発光ダイオードは、相當な体積を占有し、且つ光硬化装置の重量を増加させることにある。
【先行技術文献】
【特許文献】
【０００６】
【特許文献１】特開２０１４−２０２６２７号公報
【考案の概要】
【考案が解決しようとする課題】
【０００７】
本考案の目的は、充電電池を回転軸として利用し、光硬化装置及び制御装置を結合する光硬化機能を有するモバイル電源を提供することにある。
【０００８】
本考案のもう１つの目的は、その発光ダイオードのパッケージ体内に２つの波長が互いに異なるチップを設置することができる光硬化機能を有するモバイル電源を提供することにある。
【課題を解決するための手段】
【０００９】
前記目的を達成する為、本考案が提供する光硬化機能を有するモバイル電源は、光硬化装置、制御装置及び充電電池を含む。
【００１０】
該光硬化装置は、基材及び発光ダイオードを含み、該基材は、電池スロットを形成し、且つ第１貫通孔及び通孔を開設し、該発光ダイオードは、該基材に設けられ且つ光線を発射し、該光線は、該通孔を通過して該基材の外へ照射される。
【００１１】
該制御装置は、充電挿入溝を含み、且つ第２貫通孔を開設する。
【００１２】
該充電電池は、該電池スロットに設けられ、且つ一端は、該光硬化装置の第１貫通孔及び該制御装置の第２貫通孔を貫通し、該充電挿入溝に電気接続し、該光硬化装置は、該充電電池により該制御装置に相対して回転する。
【００１３】
好適実施例に基づき、該光硬化装置の基材は、底ソケット及び蓋体を含み、該底ソケットは、側部及び電池位置決め構造を含み、該底ソケットの側部は、下貫通孔を開設し、該電池位置決め構造が該下貫通孔に対応して、該蓋体は、側部を含み、該蓋体の側部は、上貫通孔を開設し、該蓋体は、該底ソケットに設けられ且つその部分及び該底ソケットの電池位置決め構造は、該電池スロットを形成し、該上下貫通孔は、合わせて該第１貫通孔を形成される。好ましくは、該電池位置決め構造は、複数のリブを含み、各リブは、凹口を形成し、各凹口は、該充電電池の形状に対応する。好ましくは、該充電電池の形状は、円柱形であり、各凹口の形状は、半円形である。好ましくは、該光硬化装置の基材は、発光ダイオード回路板を含み、該底ソケットは、底部を含み、該底ソケットの底部は、該通孔を開設し、該蓋体は、該底ソケットに被せ設けられ且つ該底ソケットと共同で収容空間を囲い、該発光ダイオード回路板は、該収容空間中に設けられ、発光ダイオードは、該発光ダイオード回路板に設けられる。
【００１４】
好適実施例に基づき、該制御装置は、殻体を含み、該殻体は、下ソケット及び上蓋を含み、該下ソケットの該光硬化装置付近の一側に下貫通孔を開設し、該上蓋の該光硬化装置付近の一側に上貫通孔を開設し、該上蓋は、該下ソケットに被せ設けられ、該上下貫通孔は、合わせて該第２貫通孔を形成する。好ましくは、該制御装置は、制御回路板及びボタンを含み、該上蓋及び該下ソケットは、収容室を囲い、該制御回路板は、該収容室に設けられ、且つスイッチを設け、該スイッチは、該発光ダイオード回路板上の発光ダイオードに電気接続され、該ボタンは、該上蓋に設けられ且つ該スイッチが該発光ダイオードをオンにすることを制御することに用いられる。好ましくは、該光硬化機能を有するモバイル電源は、更に、外付け電源を含み、該殻体の該光硬化装置から離れる一側に電源孔を開設し、該制御装置は、電源挿入溝を含み、該電源挿入溝は、該制御回路板に設けられ且つ該電源孔に対応し、該外付け電源は、該電源挿入溝に電気接続される。そのうち、該スイッチが該発光ダイオードをオンにする時、該外付け電源は、該発光ダイオードに電源供給し、該スイッチが該発光ダイオードをオフにする時、該外付け電源は、該充電電池に対して充電を行う。そのうち、該殻体の該光硬化装置から離れる一側に充電孔を開設し、該充電挿入溝は、該制御回路板に設けられ且つ該充電孔に対応する。
【００１５】
好適実施例に基づき、該発光ダイオードは、パッケージ体及び２つのチップを含み、該２つのチップは、該パッケージ体中に設けられ、且つ該２つのチップの波長が互いに異なり、直列方式で接続される。そのうち、該２つにチップの波長は、それぞれ３６５ｎｍ及び４００ｎｍの組み合わせ、３８０ｎｍ及び４００ｎｍの組み合わせ、又は６６０ｎｍ及び４００ｎｍの組み合わせである。
【考案の効果】
【００１６】
本考案の効果は、充電電池が制御装置と電子装置に対して充電する効果を達成するだけでなく、更に、回転軸として光硬化装置を制御装置と一体に結合し、光硬化装置を制御装置に相対して回転させ、上方へ起こさせ、使用者の手指を基材下方空間に置き入れ、発光ダイオードの光線を照射し、接着剤を硬化し、装飾品を手指の爪又は足の爪に固定させることができ、機能が相当多元である。また、発光ダイオードは、異なる波長が混合されてなる光線を直接発することができ、空間を節減し、且つ重量を軽減することができる。
【図面の簡単な説明】
【００１７】
【図１】本考案の立体図である。
【図２】本考案の分解図である。
【図３】本考案を手指の爪上のネイルアートの接着剤を硬化すること及び電子装置を充電することに用いる説明図である。
【考案を実施するための形態】
【００１８】
以下に図面及び部材符号を合わせ、本考案の実施例に更に詳細な説明を行い、当業者が本明細書を閲読後に実施できるようにする。
【００１９】
図１〜図３を参照し、本考案が提供する光硬化機能を有するモバイル電源は、光硬化装置１０、制御装置２０、充電電池３０及び外付け電源４０を含む。
【００２０】
該光硬化装置１０は、基材１１及び複数の発光ダイオード（図示せず）を含む。該基材１１は、底ソケット１１１、蓋体１１２及び発光ダイオード回路板１１３を含む。該底ソケット１１１は、側部、底部及び電池位置決め構造を含む。該底ソケット１１１の側部は、下貫通孔１１１１を開設し、該底ソケット１１１の底部は、複数の通孔１１１２を開設し、該電池位置決め構造は、該下貫通孔に対応する。更に明確に言えば、該電池位置決め構造は、複数のリブ１１３を含み、該リブ１１１３は、該底ソケット１１１の上部に間隔配列され、且つ凹口１１１４をそれぞれ形成し、該凹口１１１４の軸線は、互いに同軸であり、且つ該下貫通孔１１１１の軸線と同軸である。該蓋体１１２は、側部を含み、該蓋体１１２の側部は、上貫通孔１１２１を開設する。該蓋体１１２は、該底ソケット１１１に被せ設けられ、且つその一部分が該底ソケット１１１の電池位置決め構造の複数のリブ１１１３と電池スロットを形成し、該上下貫通孔１１２１，１１１１は、合わせて第１貫通孔を形成する。そのうち、該上下貫通孔１１２１，１１１１は、ちょうどそれぞれ該第１貫通孔の上、下半部分であるので、該上下貫通孔１１２１，１１１１の軸線は、同一の軸線であり、該軸線は、該第１貫通孔の軸線でもある。該電池位置決め構造は、複数のリブ１１１３の凹口１１１４の軸線は、該第１貫通孔の軸線と同軸である。該蓋体１１２及び該底ソケット１１１は、共同で収容空間を囲い、該電池スロットが該収容空間の中に配置される。該発光ダイオード回路板１１３は、該収容空間中に設けられる。該発光ダイオードは、該発光ダイオード回路板１１３の下方に設けられ、且つ該通孔１１１２にそれぞれ対応する。各発光ダイオードは、パッケージ体及び２つのチップを含み、該２つのチップは、該パッケージ体中に設けられ、且つ該２つのチップの波長は、互いに異なり直列方式で互いに接続される。そのうち、該２つのチップの波長は、それぞれ３６５ｎｍ及び４００ｎｍの組み合わせ、３８０ｎｍ及び４００ｎｍの組み合わせ、又は６６０ｎｍ及び４００ｎｍの組み合わせであることができる。その他の実施例において、各発光ダイオードは、１つのチップのみを含むか、又は２つ以上のチップを含むことができる。各発光ダイオードのその他の材及びその接続関係は、従来技術に属するので、ここでは、詳細を記載しない。
【００２１】
該制御装置２０は、殻体、制御回路板２２、ボタン２３、充電挿入溝２４及び電源挿入溝２５を含む。該殻体は、下ソケット２１１及び上蓋２１２を含む。該上蓋２１２は、該下ソケット２１１に被せ設けられ、共同で収容室を囲う。該下ソケット２１１の該光硬化装置１０付近の一側に下貫通孔を開設し、該上蓋２１２の該光硬化装置１０付近の一側に上貫通孔（図示せず）を開設し、該上蓋２１２は、該下ソケット２１１に被せ設けられる時、該上貫通孔及び該下貫通孔２１１１は、合わせて第２貫通孔を形成する。該殻体２０の該光硬化装置１０から離れる一側に電源孔２１４及び充電孔２１５を開設する。該第２貫通孔は、該第１貫通孔に対応する。好ましくは、該第２貫通孔の軸線は、該第１貫通孔の軸線と同軸であるので、該第２貫通孔の軸線は、該電池スロットの軸線と同軸である。該制御回路板２２は、該収容室に設けられ、且つスイッチ２２１を設け、該スイッチ２２１は、該発光ダイオード回路板１１３上の該発光ダイオードに電気接続される。該ボタン２３は、該上蓋２１２に設けられ、該スイッチ２２１が該発光ダイオードをオンにすることを制御することに用いられる。そのうち、該スイッチ２２１は、秒数スイッチであり、いわゆる「秒数」とは、単位時間内オンを持続するよう設定され、単位時間終了すると自動でオフとなるものである。当然ながら、該スイッチ２２１の種類は、これに制限するものではなく、如何なる種類のスイッチ２２１も本考案に用いることができる。該充電挿入溝２４は、該制御回路板２２に設けられ且つ該電源孔２１４に対応する。該電源挿入溝２５は、該制御回路板２２に設けられ且つ該充電孔２１５に対応する。
【００２２】
該充電電池３０は、該電池スロットに設けられ且つ一端が該光硬化装置１０の第１貫通孔及び該制御装置２０の第２貫通孔を通過する。該充電電池は、該充電挿入溝に電気接続される。そのうち、該電池位置決め構造は、複数のリブ１１１３の凹口１１１４の形状は、該充電電池３０の形状に対応し、該第１貫通孔及び第２貫通孔は、該充電電池３０の形状に対応する。好ましくは、該充電電池３０の形状は、円柱形であり、各凹口１１１４の形状は、半円形であり、該上下貫通孔１１２１，１１１１は、それぞれ半円形であり、従って、該第１貫通孔は、円形であり、該第２貫通孔は、円形である。該光硬化装置１０は、該充電電池３０により該制御装置２０に相対して回転する。
【００２３】
該外付け電源４０の一端は、プラグを形成する。該プラグは、該電源挿入溝２５に挿入される。該外付け電源４０は、そのプラグにより該電源挿入溝２５に電気接続される。
【００２４】
図３を参照し、それは、本考案が手指の爪上のネイルアートの接着剤を硬化すること及び電子装置５０に対して充電を行うことに用いられる説明図である。該電子装置５０は、図３において、携帯電話を例とするが、これに限定するものではなく、任意の充電可能な電子装置、例えば、ノート型パソコン、タブレットＰＣ、ＭＰ３プレイヤー等は、何れも前記電子装置５０とすることができる。先ず、使用者は、接着剤により各種装飾品を手指の爪上に付着され、その後、該光硬化装置１０が該充電電池３０を回転軸として該制御装置２０に相対して上向きに回転する。手指を該光硬化装置１０の基材１１の底ソケット１１１下方の空間に置き、且つ該ボタン２３を押圧し、該スイッチ２２１をタッチして該発光ダイオードをオンにする。該発光ダイオードをの２つにチップが異なる波長の光線を発し、光混合を経た後に該通孔１１１２を通過し、使用者の手指の爪に照射し、該手指の爪上の接着剤を硬化させ、装飾品を手指の爪上の固定する効果を達成する。本考案は、足の爪上のネイルアートの接着剤を硬化させ、装飾品を足の爪上に固定する効果を達成することもできる。また、該充電挿入溝２４は、該電子装置５０の電源線のプラグをその中に挿入させることに用いられ、該充電電池３０に該充電挿入溝２４を介して該電子装置５０に給電させる。該電子装置５０中の充電電池は、これにより電力充電を獲得することができる。
【００２５】
そのうち、該外付け電源４０が該電源挿入溝２５に電気接続され且つ該スイッチ２２１が該発光ダイオードをオンにする時、該発光ダイオードの電源は、該外付け電源４０  から供給される。そのうち、該外付け電源４０が該電源挿入溝２５に電気接続され且つ該スイッチ２２１が該発光ダイオードをオフにする時、該外付け電源４０が該充電電池３０に対して充電する。そのうち、該外付け電源４０が該電源挿入溝２５に電気接続されず、且つ該スイッチ２２１が該発光ダイオードをオフにする時、該充電電池３０は、該発光ダイオードへの給電を停止する。
【００２６】
本考案の光硬化機能を有するモバイル電源の充電電池３０は、該制御装置２０と電子装置５０に対する充電の効果だけでなく、更に、回転軸として該光硬化装置１０及び該制御装置２０を一体に結合することができ、且つ該光硬化装置１０は、更に、該制御装置２０に対応して回転することができ、上向きに起こされ、本考案を卓面に置く時、該基材１１の底ソケット１１１下方に空間を発生し、使用者の手指を該空間中に伸入させ、該光硬化装置１０の該発光ダイオードの光線を手指の爪又は足の爪に照射し、接着剤を硬化させ、装飾品を手指の爪又は足の爪に固定させ、機能が相当多元である。
【００２７】
重要であるのは、該光硬化装置１０は、回転の過程において、該充電電池３０は、依然として元の充電及び給電の機能を有し、相當に便利である。
【００２８】
また、円柱形の充電電池３０は、半円形の該電池位置決め構造の複数のリブ１１１３の凹口１１１４及び円形の第１貫通孔に適合する。
【００２９】
また、各発光ダイオードの２つにチップは、パッケージ体中に設けられ、且つ該２つのチップの波長は、互いに異なり直列方式で互いに接続される。これにより、各発光ダイオードは、異なる波長が混合されてなる光線を直接発することができ、従来技術のように複数の単一波長の発光ダイオードによって混合光を発する目的を完成する必要がなく、相當に空間を節減し、且つ重量を軽減することができる。
【００３０】
更に、該スイッチ２２１は、該外付け電源４０が該発光ダイオードに給電するか、該充電電池３０に給電するかを切り換えることができ、これにより、該外付け電源４０の電力は、十分に利用されることができる。
【００３１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３２】
１０  光硬化装置
１１  基材
１１１  底ソケット
１１１１  下貫通孔
１１１２  通孔
１１１３  リブ
１１１４  凹口
１１２  蓋体
１１２１  上貫通孔
１１３  発光ダイオード回路板
２０  制御装置
２１１  下ソケット
２１２  上蓋
２１３  第２貫通孔
２１４  電源孔
２１５  充電孔
２２  制御回路板
２２１  スイッチ
２３  ボタン
２４  充電挿入溝
２５  電源挿入溝
３０  充電電池
４０  外付け電源
５０  電子装置
【図１】
0003197199.tif 000003
【図２】
0003197199.tif 000004
【図３】
0003197199.tif 000005
【手続補正書】
【提出日】平成27年2月20日(2015.2.20)
【手続補正１】
【補正対象書類名】実用新案登録請求の範囲
【補正対象項目名】請求項１
【補正方法】変更
【補正の内容】
【請求項１】
基材及び発光ダイオードを含み、該基材は、電池スロットを形成し、且つ第１貫通孔及び通孔を開設し、該発光ダイオードは、該基材に設けられ且つ光線を発射し、該光線は、該通孔を通過して該基材の外へ照射される光硬化装置と、
充電挿入溝を含み、且つ第２貫通孔を開設する制御装置と、
該電池スロットに設けられ、且つ一端は、該光硬化装置の第１貫通孔及び該制御装置の第２貫通孔を貫通し、該充電挿入溝に電気接続し、該光硬化装置は、充電電池により該制御装置に相対して回転する充電電池と、
を含む光硬化機能を有するモバイル電源。
【手続補正２】
【補正対象書類名】実用新案登録請求の範囲
【補正対象項目名】請求項５
【補正方法】変更
【補正の内容】
【請求項５】
前記光硬化装置の基材は、発光ダイオード回路板を含み、底ソケットは、底部を含み、該底ソケットの底部は、該通孔を開設し、蓋体は、該底ソケットに被せ設けられ且つ該底ソケットと共同で収容空間を囲い、該発光ダイオード回路板は、該収容空間中に設けられ、発光ダイオードは、該発光ダイオード回路板に設けられる請求項１に記載の光硬化機能を有するモバイル電源。
【手続補正３】
【補正対象書類名】実用新案登録請求の範囲
【補正対象項目名】請求項９
【補正方法】変更
【補正の内容】
【請求項９】
前記制御装置は、制御回路板及びボタンを含み、該上蓋及び該下ソケットは、収容室を囲い、該制御回路板は、該収容室に設けられ、且つスイッチを設け、該スイッチは、発光ダイオード回路板上の発光ダイオードに電気接続され、該ボタンは、該上蓋に設けられ且つ該スイッチが該発光ダイオードをオンにすることを制御することに用いられる請求項８に記載の光硬化機能を有するモバイル電源。